(57)【要約】【課題】  本発明は、複数のサービスに対応することが可能な電子タグを有する携帯機器を提供することを課題とする。【解決手段】  携帯機器３１は通信回線３４を介してＩＤ管理サーバ３２にサービス変更要請を行ない、ＩＤ管理サーバ３２は応答として変更許可を与え、携帯機器３１は電子タグ内のフラグをセットする。サービス提供側のリーダ／ライタ端末３３にタグ情報を読み出させると、リーダ／ライタ端末３３はフラグがセットされていると通信回線３４を介してＩＤ管理サーバ３２から変更後のサービスに対応するデータを受け取り、電子タグにセットしてサービスの変更を行なうと共に、対応サービスの提供処理を行なう。【選択図】      図４
2005136791.tif 000002
【特許請求の範囲】
【請求項１】
電子タグを一意に識別するＩＤコード、サービスの変更許可の有無を示す情報及びサービス提供者がサービスを供与する際に用いるＩＣデータを記憶する電子タグと、
通信回線と接続する通信手段と、
前記サービスの変更依頼及び前記ＩＤコードを前記通信回線を介して送出し、該サービスの変更依頼に対する応答として変更許可が得られれば、前記電子タグ内のサービスの変更許可の有無を示す情報をセットするタグ情報アクセス手段と、
を備えることを特徴とする携帯機器。
【請求項２】
前記ＩＣデータは前記タグ情報アクセス手段よりアクセスできない構成とすることを特徴とする請求項１に記載の携帯機器。
【請求項３】
前記電子タグは、サービスの享受の停止の有無を示す情報を更に記憶し、前記タグ情報アクセス手段は、前記サービスの変更依頼に対する応答としてサービスの提供停止の指示を受けたとき、前記電子タグ内のサービスの享受の停止の有無を示す情報をセットすることを特徴とする請求項１乃至２に記載の携帯機器。
【請求項４】
電子タグを有する携帯機器と通信回線によって接続されるサーバ装置であって、
前記電子タグを一意に識別するＩＤコードと、該ＩＤコードを用いている複数のサービスについての情報を対応付けて記憶するデータベース手段と、
前記ＩＤコードを含む前記携帯機器からのサービスの変更依頼に対して、前記データベースから当該ＩＤコードに対応付けられた前記複数のサービスについての情報を読み出し、該読み出した情報に基づいて前記サービスの変更依頼に対する応答を前記携帯機器に対して行なうサービス変更許可手段と、
を備えることを特徴とするサーバ装置。
【請求項５】
前記変更許可手段は、前記サービスの変更依頼に対して変更許可を応答したとき、前記複数のサービスについての情報に変更依頼を受けたサービスに対して変更許可を与えたことを登録することを特徴とする請求項４に記載のサーバ装置。
【請求項６】
サービス提供者の端末からの前記ＩＤコードを含む問い合わせに対して、前記データベースから当該ＩＤコードに対応付けられた前記複数のサービスについての情報を読み出し、該サービス提供者の提供しているサービスに対して前記変更許可を与えたことが登録されていたとき、該変更を依頼されたサービスについての情報を前記サービス提供者の端末に返信するサービス変更手段を更に備えることを特徴とする請求項５に記載のサーバ装置。
【請求項７】
前記サービス変更許可手段は、前記サービスの変更依頼に対して、前記複数のサービスについての情報に変更依頼を受けたサービスに対して情報に変更の禁止若しくはサービスの提供停止が設定されていたとき、前記応答としてサービスの変更が出来ない旨を通知することを特徴とする請求項４乃至６のいずれか１つに記載のサーバ装置。
【請求項８】
電子タグによるサービスを提供するサービス提供者の端末装置であって
通信回線と接続する通信手段と、
電子タグが記憶しているタグ情報を読み出すタグ情報読み出し手段と、
前記タグ情報読み出し手段が読み出した前記タグ情報が、サービスの変更許可を受けていることを示す情報を含むとき、前記通信回線を介して問い合わせを行ない、当該問い合わせに対する応答として前記サービス提供者がサービスを供与する際に用いるＩＣデータを受信したとき、該ＩＣデータを前記電子タグに書き込むタグ情報書き込み手段と
を備える端末装置。
【請求項９】
電子タグを有する携帯機器内で実行されるプログラムであって、
通信回線と接続する機能と、
サービス提供者から供与するサービスの変更依頼を前記通信回線に送出し、該サービスの変更依頼に対する応答として変更許可が得られれば、前記電子タグ内のサービスの変更許可の有無を示す情報をセットする機能と
を実現するプログラム。
【請求項１０】
電子タグを有する携帯機器と通信回線によって接続されるサーバ装置で実行されるプログラムであって、
前記電子タグを一意に識別するＩＤコードを含む前記携帯からのサービスの変更依頼に対して、前記ＩＤコードと、該ＩＤコードを用いている複数のサービスについての情報を対応付けて記憶する前記データベースから前記変更依頼に含まれたＩＤコードに対応付けられた前記複数のサービスについての情報を読み出す機能と、
前記読み出した複数のサービスについての情報に基づいて、変更を依頼されたサービスについての情報を前記携帯機器に返信する機能と、
該読み出した情報に基づいて前記サービスの変更依頼に対する応答を前記携帯機器に対して行なう機能と
を実現するプログラム。
【請求項１１】
電子タグによるサービスを提供するサービス提供者の端末装置で実行されるプログラムであって、
通信回線と接続する機能と、
電子タグが記憶しているタグ情報を読み出す機能と、
前記電子タグから読み出した前記タグ情報が、サービスの変更許可を受けていることを示す情報を含むとき、前記通信回線を介して問い合わせを行ない、当該問い合わせに対する応答として前記サービス提供者がサービスを供与する際に用いるＩＣデータを受信したとき、該ＩＣデータを前記電子タグに書き込む機能と
を実現するプログラム。
【発明の詳細な説明】
【技術分野】
【０００１】
本発明は、非接触型電子タグ（ＲＦＩＤ：Radio Frequency ID）などの電子タグを用いた技術に関し、更に詳しくは、電子タグを内部に備えた携帯電話やＰＤＡ等の携帯機器に関する。
【背景技術】
【０００２】
データキャリアとなる非接触型電子タグの普及に伴ない、電子タグを用いた様々なシステムが提案され、また実用化されている。
例えば特許文献1には、電子タグを用いたチケット発券システムが提案されており、このシステムでは、会員ＩＤを記憶するデータキャリアとして電子タグを用い、チケットにこれを貼付して、会場へ入場する際にチェックに用いている。
【０００３】
また電子タグを内蔵したＩＣカードを定期券に用いる等の使用法も現在実現化されている。
【特許文献１】特開２００３−２２３５２５号公報（段落[００３０]〜［００３７］）
【発明の開示】
【発明が解決しようとする課題】
【０００４】
現在実現したり提案されている電子タグの使用方法としては、物品に貼付して用いたり、ＩＣカードに内蔵して用いることが考えられているが、これらの使用方法は、一つの電子タグを特定の使用方法に限定するものである。例えば電子タグを内蔵したカードの場合、カードリーダにより電子タグを読み取ってカードの所有者を特定してカードの所有者に対してサービスを行なう。
【０００５】
データキャリアとして電子タグを用いたサービスは、これからますます普及してゆくものと考えられるが、現在提案されている電子タグの使用形態では、サービスの種類が増えるとそれに応じて多数のカードを所有し、これらを使い分けなければならなくなる。
また従来型の場合、カードの盗難などに対してＩＣカードを使用不能にしたい場合に対応できない。
【０００６】
本発明は、上記問題点を解決した電子タグを有する携帯機器、サーバ装置やプログラム及びその使用形態を提供することを課題とする。
【課題を解決するための手段】
【０００７】
上記問題点を解決する為、本発明による携帯機器は、電子タグ、通信手段及びタグ情報アクセス手段とを備える。
電子タグは、電子タグを一意に識別するＩＤコード、サービスの変更許可の有無を示す情報及びサービス提供者がサービスを供与する際に用いるＩＣデータを記憶する。
【０００８】
通信手段は、インターネットや電話回線などの通信回線と接続する。
タグ情報アクセス手段は、前記サービスの変更依頼を前記通信回線に送出し、該サービスの変更依頼に対する応答として変更許可が得られれば、前記電子タグ内のサービスの変更許可の有無を示す情報をセットする。
【０００９】
これにより、通信回線を介して電子タグにサービスの変更許可を得たことが、セットされ、この状態でサービス提供者側の端末装置によってタグ情報を読み出されるときに、サービスの切り替えが行なわれる。
また携帯機器の電子タグは、前記ＩＤタグは書き換えることの出来ないように記憶する。また電子タグは、タグ情報アクセス手段がアクセスできる記憶領域とアクセスできない記憶領域を持ち、前記ＩＣデータはタグ情報アクセス手段がアクセスできないように記憶する。これにより、電子タグによるやり取りのセキュリティが向上する。
【００１０】
また前記電子タグは、サービスの享受の停止の有無を示す情報を更に記憶し、前記タグ情報アクセス手段は、前記サービスの変更依頼に対する応答としてサービスの提供停止の指示を受けたとき、前記電子タグ内のサービスの享受の停止の有無を示す情報をセットするよう構成することが出来る。
【００１１】
これにより、電子タグによるサービスの享受を携帯機器側の設定により停止することが出来る。
また本発明は、前記した電子タグを有する携帯機器と、通信回線によって接続されるサーバ装置もその範囲に含む。
【００１２】
このサーバ装置は、データベース手段、及びサービス変更許可手段を備える。
データベース手段は、前記電子タグを一意に識別するＩＤコードと、該ＩＤコードを用いている複数のサービスについての情報を対応付けて記憶する。
サービス変更許可手段は、前記ＩＤコードを含む前記携帯機器からのサービスの変更依頼に対して、前記データベースから当該ＩＤコードに対応付けられた前記複数のサービスについての情報を読み出し、該読み出した情報に基づいて前記サービスの変更依頼に対する応答を前記携帯機器に対して行なう。
【００１３】
更に本発明は、電子タグによるサービスを提供するサービス提供者の端末装置もその範囲に含む。
この端末装置は、通信手段、タグ情報読み出し手段及びタグ情報書き込み手段を備える。
【００１４】
通信手段は、通信回線と接続する。
タグ情報読み出し手段は、電子タグが記憶しているタグ情報を読み出す。
タグ情報書き込み手段は、前記タグ情報読み出し手段が読み出した前記タグ情報が、サービスの変更許可を受けていることを示す情報を含むとき、前記通信回線を介して問い合わせを行ない、当該問い合わせに対する応答として前記サービス提供者がサービスを供与する際に用いるＩＣデータを受信したとき、該ＩＣデータを前記電子タグに書き込む。
【００１５】
また、本発明は携帯機器内や、この携帯機器と通信回線で接続するサーバ装置で実行されるプログラムもその範囲に含む。
【発明の効果】
【００１６】
本発明によれば、携帯機器外部からの指示に基づいて、電子タグ内のタグ情報を書き換えることが出来るので、電子タグとしての機能に汎用性を持たせることが出来、延いては複数のサービスの供与に対応することが出来る。よってユーザは、電子タグを内部に有するカード等を複数持つ必要がない。
【００１７】
またタグ情報を携帯機器外部のサーバ内に持つので、盗難等に対してもサービスを停止することによって対応することが出来る。
【発明を実施するための最良の形態】
【００１８】
以下に本発明に係る一実施形態を図面を参照しながら説明する。
以下の例では、本発明による携帯機器として携帯電話に適用した場合を例として示すが、尚本発明による携帯機器としては、携帯電話やＰＳＨのみに限らず、ＰＤＡや携帯ゲーム器等、情報処理機能と通信機能を備えた携帯可能な機器であれば他のものでも良い。
【００１９】
本実施形態の携帯機器は、通信回線を介して電子タグ内に記憶されているタグ情報を管理するＩＤ管理サーバと接続して、その電子タグで受けることが出来るサービスの切り替えの許可をもらい、サービスを受ける際に携帯機器内部の電子タグのタグ情報を読み出すときにサービスの切り替えも行なう。これによって、１つの電子タグを複数のサービスに用いることが出来る。
【００２０】
図１は本実施形態による携帯機器を携帯電話として構成した場合の構成例を示すブロック図である。
図１の携帯電話は、高周波回路部３、音声制御部４、音声入出力部５、制御部６、表示部７及び入力部８を有している。
【００２１】
高周波回路部３は、指定されたチャンネルに対応する周波数の電波の送受信処理を行なうユニットである。高周波回路部３は、制御部６により指定されたチャンネルで受信した信号を、呼出信号やチャンネル情報などの非音声信号の場合は制御部６へ、音声信号の場合は音声制御部４へ送る。また高周波回路部３は、制御部６から出力される着信応答信号、発呼要求信号、ダイヤルデータなどの非音声信号や、音声制御部４から出力される音声信号を対応する高周波電気信号に変換してアンテナ９から出力する。音声制御部４は、高周波回路部３からの音声電気信号を音声入出力部５へ出力し、また音声入出力部５からの音声電気信号を高周波回路部３へ出力するユニットである。音声入出力部５は、制御部６の制御の下に、音声制御部４からの音声電気信号をスピーカ５２へ送り、またマイクロホン５１からの音声電気信号を音声制御部４へ出力するユニットである。スピーカ５２は音声入出力部５からの音声電気信号を音声に変換して外部に出力するユニットであり、マイクロホン５１は入力された音声波を電気信号に変換して音声入出力部５に出力するユニットである。制御部６は、図１の携帯電話全体の制御を司る部分で、内部にファームウエアとして記憶する制御プログラムに基づいて、機器内の各回路部に制御信号を送り、それらの動作を指示・制御する。表示部７は、液晶等によって構成された表示ユニットで、制御部６の制御指示に基づいて、液晶を駆動させて表示を行なう。入力部８は、ユーザが操作するプッシュスイッチ等で構成される入力ユニットであり、この入力部８に対する操作は制御部６に通知され、制御部６はこの通知から、ユーザの操作指示に基づいた動作を実現する為に各ユニットを制御指示する。アンテナ９は、受信電波を受けて対応する電気信号を高周波回路部３に送り、また高周波回路部３からの電気信号を電波に変換して外部に出力するユニットである。
【００２２】
また図１の携帯電話は、その特徴として電子タグとして機能するＲＦ-ＩＤ回路部１及びそのアンテナ２を有している。
ＲＦ-ＩＤ回路部１は、アンテナ２から受信した電波によって電力を発生させ、その電力によってＩＤコード等を、受信した電波に対する応答として携帯アンテナ２から外部へ出力することによって電子タグとして機能する。
【００２３】
このＲＦ-ＩＤ回路部１は、内部に記憶しているタグ情報を制御部６からの指示によって携帯機器側からアクセスすることが出来る。よってＲＦ-ＩＤ回路部１は、携帯機器を通信回線に接続し、その回線を介して外部からタグ情報を書き換えることにより、電子タグとして複数のサービスに対応でき、機能に汎用性を持たせることが出来る。本実施形態の携帯機器が備えた電子タグは、ＲＦ-ＩＤ回路部１はセミナー受講や広告情報や付帯情報等などセキュリティがそれほど要求されないものに対する使用を対象としているが、認証を強化する等何らかの方法によりセキュリティを向上させることにより、高いセキュリティを要求される用途にも用いることが出来る。
【００２４】
図２は図１のＲＦ−ＩＤ回路部１の内部構成を示すブロック図である。
図２のＲＦ−ＩＤ回路部１は、蓄積部１１、整流平滑部１２、送受信部１３、ＣＰＵ１４、ＥＥＰＲＯＭ１５及びスイッチ１６を有する。
送受信部１１は、アンテナ２で受信された電波を検波し、また送信の際はＥＥＰＲＯＭ１５に格納されているタグ情報を変調してアンテナ２から出力する。整流平滑部１２は、送受信部１１で検波された信号を直流電圧または直流電流に変換する。蓄積部１３は、受信電波により得られた電気エネルギーを蓄積しておき、電波送信時等に使用する電気エネルギーとして利用する。ＣＰＵ１４は、内部にファームウエアとして記憶する制御プログラムに基づいてＲＦ−ＩＤ回路部１全体の制御を行なうもので、アンテナ２から受信した信号を解析し、その結果に基づいてＥＥＰＲＯＭ１５内の情報をアンテナ２を介して外部に出力したり、ＥＥＰＲＯＭ１５内の情報を書き換えたりする。またＣＰＵ１４は、バスライン１７によって制御部６と繋がっており、このバスライン１７からの指示に基づいて、ＥＥＰＲＯＭ１５内のデータを制御部６に送出したり、ＥＥＰＲＯＭ１５内のデータを書き換えたりする。ＥＥＰＲＯＭ１５は、不揮発性半導体メモリからなり、タグの識別コードとなるＩＤコードなど電子タグとして使用する為に必要なタグ情報を記憶する。ＥＥＰＲＯＭ１５は、後述するように、書き換え可能な記憶領域と書き換えが出来ない記憶領域、携帯機器側からアクセスできる領域と出来ない領域とを持つ。スイッチ１６は、電力を供給する為のもので、制御部６からのスイッチ制御ラインによって蓄積部１１と電源ラインとのＯＮ／ＯＦＦを切り替える。スイッチ１６は、制御部６からの指示によってＣＰＵ１１がＥＥＰＲＯＭ１５からデータ読み書きを行なうときに、ＯＮとなりＣＰＵ１４及びＥＥＰＲＯＭ１５に電力を供給する。これにより、図示しないタグリーダ/ライタからの電波をアンテナ２で受信できない状況下であっても、携帯電話の制御部６から電子タグをアクセスできる。
【００２５】
尚図２は、ＲＦ-ＩＤ回路部１は、スイッチ１６がＯＮとなっているとき以外、受信電波から得られた電力によって駆動する構成となっているが、電波からの電力に加え携帯電話などの携帯機器の電池等から常に、もしくは電子タグが送受信を行なう時に電力が供給され、この電力によって駆動する構成としても良い。
【００２６】
このような構成により、ＲＦ-ＩＤ回路部１は、アンテナ２によってタグリーダ/ライタからの電波を受信することにより、ＥＥＰＲＯＭ１５内のタグ情報にアクセスするだけでなく、制御部６からの指示によっても、アクセスすることが出来る。これにより、携帯機器側からの指示制御、例えば携帯機器を通信回線に接続し、その通信回線介しての指示、或いは携帯機器に備えられている入出力装置から指示することにより、ＥＥＰＲＯＭ１５内のタグ情報にアクセスすることが出来る。
【００２７】
図３は、ＥＥＰＲＯＭ１５内に記憶されるタグ情報を示す図である。
ＥＥＰＲＯＭ１５は、書き換えが可能な記憶領域と書き換えが不可で読み出しのみの記憶領域を持ち、タグ情報として、書き換え不可の領域にはＩＤコードが、また書き換えが可能な領域には変更フラグ及びＩＣデータが記憶されている。またこれらの領域のうち、ＩＤコード及び変更フラグは図１の制御部１からの指示によって携帯機器側からアクセスを行なう（ＩＤコードは読み出しのみ、変更フラグら読み出し／書き込みの両方）ことが出来るが、ＩＣデータは携帯機器側からはアクセスすることは出来ず、アンテナ２を介してのみアクセスすることができるように構成され、これにより電子タグによるサービスに対するセキュリティを向上させている。ＩＣデータが携帯機器側からはアクセス出来ないように、例えば、携帯機器からのアドレスがＩＣデータを指定するアドレスであるかをデコードし、そのアドレスの指定を禁止する回路をバスライン１７上に設ける構成とする。
【００２８】
ＩＤコードは、各電子タグを一意に識別する識別コードで、各電子タグにそれぞれ異なった値が付せられる。サービス提供者側は、リーダ／ライタ端末の読み出し／書き込み器によりこのＩＤコードを電子タグから読み出して、その電子タグ（電子タグを所有しているユーザ）を特定する。変更フラグは、電子タグによって受けるサービスを変更する場合にセットされるフラグである。サービス変更を行なう際には、通信回線によって携帯機器を後述するＩＤ管理サーバに接続してこのフラグをセットし、サービスを受ける際に電子タグを読み出すリーダ／ライタ端末によってそのサービスに対応するＩＣデータに書き換えることによりサービス変更を行なう。ＩＣデータは、サービス提供者がサービスを行なうために用いるデータである。このＩＣデータは、サービス提供時に読み出されたり書き換えられたりする。
【００２９】
図４は、携帯機器内の電子タグで享受できるサービスの変更を行なうためのシステムの構成例を示す図である。
同図のシステムでは、上述した携帯機器３１が、ＩＤ管理サーバ３２、リーダ／ライタ端末３３と電話回線やインターネット等の通信回線３４によって接続されている。
【００３０】
ＩＤ管理サーバ３２は、ＩＤコードの管理を行なうネットワークサーバで、携帯機器３１からのサービスの変更要請に対して、変更の許可／不許可を通知する。またリーダ／ライタ端末３３からの問い合わせに対して、対応するＩＤコードに対してサービスの変更許可を与えていた場合、変更後のサービスのＩＣデータをリーダ／ライタ端末３３に応答する。リーダ／ライタ端末３３は、携帯機器３１のユーザに様々なサービスを提供するサービス提供者側の端末装置である。サービス提供者は、このリーダ／ライタ端末３３をサービスを提供する場所に設置し、リーダ／ライタ端末３３によって電子タグを読み出し／書き込みすることによりユーザに対して様々なサービスを提供する。リーダ／ライタ端末３３は、電子タグが隣接すると内部のタグ情報の読み出し／書き換えを行なう。このとき読み出したタグ情報内の変更フラグがセットされていた場合、リーダ／ライタ端末３３は通信回線３４を介してＩＤ管理サーバ３２に問い合わせ、新規のサービスに対応するＩＣデータを受け取り、これを電子タグ内に書き込む。
【００３１】
このような、システムにおいて、携帯機器３１のユーザが、現在携帯機器３１のタグに登録されているサービスとは別のサービスを受けようと思った場合に、登録されているサービスを変更する時の動作処理を説明する。
電子タグを用いてサービスを受けようと思うユーザは、リーダ／ライタ端末３３によって携帯機器３１内のタグ情報を読み出させる前に、携帯機器３１によってメニュー表示されたサービスから受けたいサービスを選択して指定する。この指定が行なわれると、携帯機器３１が通信回線３４を介してＩＤ管理サーバ３２と接続され、設定されているサービスの変更を要請する。この要請を受けるとＩＤ管理サーバ３２は、この電子タグに対して使用停止などの設定が行なわれていないかをチェックした後、携帯機器３１に変更許可を与え、この通知を受けた携帯機器３１は電子タグ内の変更フラグをセットする。
【００３２】
この状態で、携帯機器３１の電子タグをサービスを受けようとしているサービス用のリーダ／ライタ端末３３で読み出させる。リーダ／ライタ端末３３は読み出したタグ情報内の変更フラグがセットされていた場合、通信回線３４を介してＩＤ管理サーバ３２に問い合わせて、変更後のサービスに対応するＩＣデータを受け取り、これを携帯機器３１の電子タグにセットして電子タグが対応するサービスの変更を行なうと共に、対応サービスに対する処理を行なう。
【００３３】
このような動作処理によって、携帯機器３１は電子タグとして複数のサービスに対応することが出来、ユーザは希望のサービスを携帯機器３１を電子タグとして用いて供与することが出来る。
図５は、ＩＤデータベース３５に登録されているレコードの構成例を示す図である。
【００３４】
ＩＤデータベース３５には、各電子タグを一意に識別する識別子であるＩＤコード４２毎にレコード４１が構成され、一つのレコードには、そのＩＤコード４２で受けることが出来る複数のサービスのサービス名４３、そのサービスが現在サービスを提供しているサービスであるか（現在のサービス）、変更時の新たなサービスとして指定されたものであるか（変更予定）、そのサービスへの変更が禁止されているかどうか（変更不可）、そのサービスを提供することが禁止されているか（使用不可）等各サービスの変更状態を示す変更指定情報４４及びそのサービスを受ける際に、電子タグ内に記憶されているべきＩＣデータ４５が登録され、記憶されている。
【００３５】
尚変更不可は、現在そのサービスが停止されている等の理由で、サービス提供者からＩＤ管理サーバ３２にそのサービスへの変更を禁止する旨が通知されたときに変更指定情報４４に設定される。また使用不可は、不正使用や携帯機器の紛失などの理由で、そのＩＤコードの電子タグに対しては、サービスの提供を停止している旨をサービス提供者側から通知されたときに設定される。
【００３６】
同図の場合、ＩＤコード４２毎に設けられた複数のレコード４１−１、４１−２、・・・にはそれぞれそのＩＤコードで享受できるサービス名４３と変更指定情報４４が記録されており、ＩＤコードＸＸＸＸに対するレコード４１−１には、そのＩＤコードで享受できるサービスのサービス名４３であるサービス１、サービス２、・・・、とそのサービスの変更指定情報４４として変更指定情報４４としてサービス１には変更後新たなサービスとなるサービスであることを示す変更指定、サービス２には現在このＩＤコードで享受できるサービスであることを示す現在のサービスが設定されている。
【００３７】
ＩＤ管理サーバ３２は、携帯機器３１からサービスの変更依頼があると、受信したＩＤコードに対応して、変更依頼されたサービスを変更予定としてＩＤデータベース３５へ登録する。また、リーダ／ライタ端末３３からの通知を受けて、ＩＤコードに対応する変更予定のＩＣデータを読み出してリーダ／ライタ端末３３へ送信する。
【００３８】
図６は、ＩＤ管理サーバ３２若しくはリーダ／ライタ端末３３を構成する情報処理装置のシステム環境を示す図である。
本実施形態におけるＩＤ管理サーバ３２やリーダ／ライタ端末３３は、図６に示す様にＣＰＵ５１、主記憶装置５２、ハードディスク等の補助記憶装置５３、ディスプレイ、キーボード、電子タグの読み出し／書き込み器，等の入出力装置（Ｉ／Ｏ）５４、通信回線３４との接続を行なうモデム等のネットワーク接続装置５５及びディスク、磁気テープなどの可搬記憶媒体５８から記憶内容を読み出す媒体読取り装置５６を有し、これらが互いにバス５７により接続される構成を備えている。
【００３９】
図６の情報処理装置は、媒体読取り装置５６により磁気テープ、フロッピー(登録商標）ディスク、ＣＤ−ＲＯＭ、ＭＯ等の記憶媒体５８に記憶されているプログラム、データを読み出し、これを主記憶装置５２または補助記憶装置５３にダウンロードする。そしてこのプログラムやデータに基づいて、ＣＰＵ５１が実行処理を行なうことにより、フローチャートを用いて後述する各種処理の機能を実現する。
【００４０】
図７は、携帯機器３１で行なわれるサービスの変更処理時の動作処理を示すフローチャートである。本処理は、携帯機器３１のユーザが、現在携帯機器３１のタグに登録されているサービスとは別のサービスにタグを受けたいと思い、そのサービスに電子タグが対応しているサービスを変更する場合に行なわれる処理である。同図の処理は、携帯機器３１内の制御部６が内部に記憶している制御プログラムを実行することによって実現される。なお、現在電子タグで使用されているサービス名及び利用可能なサービス名は制御部６内の図示しない記憶部に記憶されている。
【００４１】
入力部８の操作によってサービスの一覧表示の指示がユーザから与えると本処理は開始され、まずステップＳ１として、現在電子タグに設定されているサービスのサービス名及び変更可能なサービスの一覧を表示部７に表示する。
この状態で携帯機器は指示入力待ちとなり、ユーザによって入力された指示がサービスの変更を指示する変更指定で無ければ（ステップＳ２、Ｎ）、本処理は終了してユーザからの入力指示に基づいた処理に移る。
【００４２】
ステップＳ２においてユーザが入力部８を操作して、サービスの変更を指示する変更指定があると（ステップＳ２、Ｙ）、ステップＳ３として電子タグのＩＤコードと変更するサービス名を通信回線４を介してＩＤ管理サーバ３２に送信し、応答待ち状態となる（ステップＳ４、Ｎ）。
【００４３】
そして、ＩＤ管理サーバ３２からの応答を受信し（ステップＳ４、Ｙ）、その応答がサービスの変更を許可するものであったならば（ステップＳ５、Ｙ）、ステップＳ６として電子タグ内の変更フラグをセットし、ステップＳ７として変更されたサービスを現在のサービスとして記憶、表示した後処理を終了する。またＩＤ管理サーバ３２からの応答がサービスの変更不可若しくはサービスの使用不可を示すものであったならば（ステップＳ５、Ｎ）、ステップＳ８としてサービスの変更不可若しくは使用不可を示す表示を表示部７に行なった後処理を終了する。
【００４４】
図８は、携帯機器３１がステップＳ３で送信したデータを受信したＩＤ管理サーバ３２の動作処理を示すフローチャートである。同図の処理は、ＩＤ管理サーバ３２内のＣＰＵ５１が主記憶装置５２をワークメモリとしてプログラムを実行することにより実現される。
【００４５】
ＩＤ管理サーバ３２は、通信回線３４を介して携帯機器３１からＩＤコード等のデータを受信すると、ステップＳ１１として受信したデータ内の電子タグのＩＤコードをキーとしてＩＤデータベース３５を検索して、このＩＤコードに対応するレコードのデータを読み出す。
【００４６】
ＩＤデータベース３５には、上述したように電子タグのＩＤコードに関連付けてそのＩＤコードで受けられるサービスの種類やそのサービスに用いるＩＣデータ等の情報が記憶されており、ＩＤ管理サーバ３２は、ステップＳ１１でＩＤデータベース３５から読み出したデータに、携帯機器３１から受信したデータで変更するサービスとして通知されているサービスが登録されているかどうかを調べる。その結果、受信データによって変更依頼されたサービスが、ＩＤデータベース３５内に登録されていなければ（ステップＳ１２、Ｎ）、携帯機器３１の電子タグは、携帯機器３１から変更依頼されたサービスに対応していないので、ステップＳ１６として、変更不可を携帯機器３１に対する応答として通知後処理を終了する。
【００４７】
またステップＳ１２で、変更依頼されたサービスがＩＤデータベース３５の対応レコードに登録されていれば（ステップＳ１２、Ｙ）、ステップＳ１３としてそのサービスについての設定が変更不可若しくは使用不可が設定されているかどうかを調べる。その結果、変更不可若しくは使用不可が設定されていれば（ステップＳ１３、Ｎ）、ステップＳ１６として、変更不可を携帯機器３１に対する応答として通知後処理を終了する。
【００４８】
ステップＳ１３で携帯機器３１から変更依頼されたサービスに変更不可も使用不可も設定されていなければ（ステップＳ１３、Ｙ）、ステップＳ１４として変更依頼されたサービスの変更指定情報４４を変更予定に変更してＩＤデータベース３５へ登録し、ステップＳ１５として携帯機器３１に対する応答として変更許可を通知後、本処理を終了する。
【００４９】
この図７及び図８に示した処理により、携帯機器３１内の電子タグは、サービスの変更の許可を得たことを示す情報として変更フラグがセットされる。この状態で、変更依頼を行なった新しいサービスを受ける為、ユーザは、このサービスを提供するサービス提供者のリーダ／ライタ端末３３の読み出し／書き込み器によって電子タグ内のタグ情報を読み出させる。
【００５０】
尚図７の処理では、携帯機器３１は、ＩＤ管理サーバ３２から使用不可の通知を受けると、その旨をユーザに通知していたが、電子タグ内のタグ情報にサービスの提供の停止を示すフラグを記憶する構成とし、携帯機器３１はＩＤ管理サーバ３２から使用不可の通知を受けるとこのフラグをセットして、電子タグによるサービス提供の享受を停止する構成としても良い。
【００５１】
図９は、この時のリーダ／ライタ端末３３の動作処理を示すフローチャートである。同図の処理は、ＩＤ管理サーバ３２内のＣＰＵ５１が主記憶装置５２をワークメモリとしてプログラムを実行することにより実現される。
同図の処理は、リーダ／ライタ端末３３が、携帯機器３１の電子タグ内のタグ情報を読み出すと開始される。
【００５２】
リーダ／ライタ端末３３はステップＳ２１として、電子タグから読み出したタグ情報内の変更フラグがセットされているかどうかを調べる。その結果変更フラグがセットされていなければ（ステップＳ２１、Ｎ）、ステップＳ２６に処理を移して電子タグから読み出したタグ情報内のＩＣデータを用いてサービス処理を実行する。
【００５３】
ステップＳ２１で、変更フラグがセットされていれば（ステップＳ２１、Ｙ）、サービスの変更処理を行なうので、ステップＳ２２として読み出したタグ情報内のＩＤコード及び自己が対象としているサービスを通信回線３４を介してＩＤ管理サーバ３２に通知してＩＤ管理サーバ３２に問い合わせ、応答待ち状態となる（ステップＳ２３、Ｎ）。
【００５４】
そして、ステップＳ２２での問い合わせに対する応答をＩＤ管理サーバ３２から受信すると（ステップＳ２３、Ｙ）、リーダ／ライタ端末３３は、ステップＳ２４としてその応答が変更予定が設定されていないことを通知するものであれば（ステップＳ２４、Ｎ）、ステップＳ２７として携帯機器３１の保持者への通知や変更フラグのクリア等のエラー処理を行なった後処理を終了する。
【００５５】
またＩＤ管理サーバ３２から受信した応答が変更予定が設定されていることを通知するものであれば（ステップＳ２４、Ｙ）、ステップＳ２５としてＩＤ管理サーバ３２から受信した変更後のサービスに対応するＩＣデータの電子タグへの書き込みを行ない、また変更フラグをクリアする。
【００５６】
そして、ステップＳ２６としてＩＣデータに応じたサービス提供のための処理を実行後、本処理を終了する。
尚図９の処理において、ステップＳ２５でＩＣデータを電子タグに書き込む処理を行なわずに、ステップＳ２６のサービスに対応する処理を行なう際に書き込むようにしても良い。この場合には、ステップＳ２６のサービスに対応する処理の実行において電子タグ内のＩＣデータを更新する必要性が生じた際にも、２度書き込みを行なうことにはならないのでその分処理が早くなる。
【００５７】
図１０は、リーダ／ライタ端末３３が図９のステップＳ２２の問い合わせによって、通信回線３４を介して送信したＩＤコードを受信した際のＩＤ管理サーバ３２の動作処理を示すフローチャートである。同図の処理は、ＩＤ管理サーバ３２内のＣＰＵ５１が主記憶装置５２をワークメモリとしてプログラムを実行することにより実現される。
【００５８】
ＩＤ管理サーバ３２は、通信回線３４を介してリーダ／ライタ端末３３からＩＤコード及びそのリーダ／ライタ端末３３が対応しているサービスを示す情報を含む問い合わせを受けると、ステップＳ３１として、受信した電子タグのＩＤコードに対応するデータをＩＤデータベース３５から読み出す。
【００５９】
次に、読み出したデータのリーダ／ライタ端末３３が対応しているサービスの変更指定情報４４を調べ、変更予定の設定登録が無ければ（ステップＳ３２、Ｎ）、ステップＳ３５としてリーダ／ライタ端末３３に変更予定の登録が無いことを通信回線３４を介して通知した後、処理を終了する。
【００６０】
ステップＳ３２において、リーダ／ライタ端末３３の対応しているサービスに変更予定の設定登録があれば（ステップＳ３２、Ｙ）、ステップＳ３３として、変更予定有りの通知及びそのサービスに対応するＩＣデータを通信回線３４を介してリーダ／ライタ端末３３に送信する。そしてＩＤデータベース３５の対応レコードの変更指定情報４４の現在のサービスの設定を削除し、また変更予定が設定されている変更指定情報４４を現在のサービスに変更して書き換えて更新した後処理を終了する。
【００６１】
この図９及び図１０に示した処理により、携帯機器３１内の電子タグは、ＩＤ管理サーバ３２によってサービスの変更許可が得られ、変更フラグがセットされていれば、リーダ／ライタ端末３３によってタグ情報を読み出された際に、ＩＣデータが変更を要請していたサービスに対応するものに書き換わり、対応するサービスが切り替わる。
【００６２】
このように本実施形態の携帯機器は、ＲＦ−ＩＤ回路部１ａ内のタグ情報を書き換えることが出来るので、必要に応じてタグ情報を書き換えることにより一つの携帯機器３１で、様々なサービスに対応することが出来る。
また、サービス提供者側は、ＩＤ管理サーバ３２に通知することによって、サービスの変更を呈することが出来るので、ユーザからの紛失や盗難の届け出や、ユーザの料金滞納等に対して、サービスの変更を停止することが出来る。
【００６３】
尚上述した処理は、携帯機器３１とＩＤ管理サーバ３２の間の接続を通信回線３４によって行なうことを前提としていたが、携帯機器３１が電話回線を用いて直接、携帯機器３１とＩＤ管理サーバ３２の間の接続を行なうようにしても良い。またこのとき、ＩＤ管理サーバ３２は携帯機器３１の電話番号を記録管理し、携帯機器３１の特定を電話番号で行なう構成としても良い。
【００６４】
また電子タグとして非接触型電子タグを用いていたが、ＲＦＩＤに限らず他の電子タグであっても良い。
【図面の簡単な説明】
【００６５】
【図１】本実施形態による携帯機器の構成例を示すブロック図である。
【図２】ＲＦ−ＩＤ回路部の内部構成を示すブロック図である。
【図３】ＥＥＰＲＯＭ内に記憶されるタグ情報を示す図である。
【図４】携帯機器内の電子タグで享受できるサービスの変更を行なうためのシステムの構成例を示す図である。
【図５】ＩＤデータベースに登録されているレコードの構成例を示す図である。
【図６】ＩＤ管理サーバ若しくはリーダ／ライタ端末を構成する情報処理装置のシステム環境を示す図である。
【図７】携帯機器で行なわれるサービスの変更処理時の動作処理を示すフローチャートである。
【図８】携帯機器からのデータを受信したＩＤ管理サーバの動作処理を示すフローチャートである。
【図９】電子タグ内のタグ情報を読み出した時のリーダ／ライタ端末の動作処理を示すフローチャートである。
【図１０】リーダ／ライタ端末からＩＤコードを受信した際のＩＤ管理サーバの動作処理を示すフローチャートである。
【符号の説明】
【００６６】
１          ＲＦ−ＩＤ回路部
２          アンテナ
３          高周波回路部
４          音声制御部
５          音声入出力部
６          制御部
７          表示部
８          入力部
１１        蓄積部
１２        整流平滑部
１３        送受信部
１４        ＣＰＵ
１５        ＥＥＰＲＯＭ
１６        スイッチ
１７        バスライン
【図１】
2005136791.tif 000003
【図２】
2005136791.tif 000004
【図３】
2005136791.tif 000005
【図４】
2005136791.tif 000006
【図５】
2005136791.tif 000007
【図６】
2005136791.tif 000008
【図７】
2005136791.tif 000009
【図８】
2005136791.tif 000010
【図９】
2005136791.tif 000011
【図１０】
2005136791.tif 000012